(57)【要約】【課題】トンネル壁面の工事箇所の仮囲いを迅速に行うことができるようにする。【解決手段】高所作業車の作業台に周方向に適宜間隔で取り付けられる複数本の支柱２と、各支柱２に跨って支持され、トンネル壁面の工事箇所を囲うようにしてトンネル壁面に当接される封止体４と、封止体４から垂下される間仕切りシート５とを備え、複数本の支柱２の少なくとも一部は、伸縮自在であるか屈曲部を有するかの少なくともいずれかであり、支柱２の伸縮、支柱２の屈曲、作業台に対する支柱２の取付位置、作業台に対する支柱２の取付角度の少なくともいずれか一つによって複数本の支柱２の上部高さ位置を設定することにより、封止体４をトンネル壁面の工事箇所に対応した角度に設定してトンネル壁面に当接させて、工事箇所を仮囲いする。【選択図】図８
2018104942.tif 000002
【特許請求の範囲】
【請求項１】
高所作業車の作業台に周方向に適宜間隔で取り付けられる複数本の支柱と、
各支柱に跨って直接的又は間接的に支持され、トンネル壁面の工事箇所を囲うようにしてトンネル壁面に当接される封止体と、
封止体から垂下される間仕切りシートとを備え、
複数本の支柱の少なくとも一部は、伸縮自在であるか屈曲部を有するかの少なくともいずれかであり、
支柱の伸縮、支柱の屈曲、作業台に対する支柱の取付位置、作業台に対する支柱の取付角度の少なくともいずれか一つによって複数本の支柱の上部高さ位置を設定することにより、封止体をトンネル壁面の工事箇所に対応した角度に設定してトンネル壁面に当接させて、工事箇所を仮囲いする
トンネル壁面工事用の囲い装置。
【請求項２】
封止体は、上下方向に圧縮変形可能な弾性体からなる請求項１に記載のトンネル壁面工事用の囲い装置。
【請求項３】
各支柱の上部に傾動自在に取り付けられ、封止体の下部を嵌入して封止体を支持する封止体支持部材をさらに備える請求項１又は請求項２に記載のトンネル壁面工事用の囲い装置。
【請求項４】
間仕切りシートは、その上端部が封止体支持部材と封止体支持部材に嵌入された封止体の下部とに挟持されて封止体から垂下される請求項３に記載のトンネル壁面工事用の囲い装置。
【請求項５】
請求項１ないし請求項４のいずれか１項に記載のトンネル壁面工事用の囲い装置を用いて、トンネル壁面の工事箇所を仮囲いするトンネル壁面の工事箇所の仮囲い方法。
【発明の詳細な説明】
【技術分野】
【０００１】
本発明は、トンネルの壁面に補修工事などを行う際の工事箇所を仮囲いする囲い装置及びトンネル壁面の工事箇所の仮囲い方法に関する。
【背景技術】
【０００２】
トンネルを構築する場合、掘削された内周面に覆工コンクリートが施工されるが、長期間の使用による経年劣化などにより覆工コンクリートにひび割れや亀裂、剥離といった劣化が発生することが知られている。覆工コンクリートにこのような劣化が発生すると、そのまま放置しておくと危険なので、補修工事や補強工事が行われることになる。
【０００３】
この種の工事は、通常、覆工コンクリートの劣化部分をサンドショットやサンドブラスト、グラインダーなどによりはつり除去し、はつり除去した部分を清掃した後に、吹付けによりコンクリート層を新たに形成していた。
【０００４】
そして、この種の工事では、はつりのガラ、モルタル、骨材あるいはこれらに起因する粉塵の飛散防止対策として、工事箇所に防護柵や防護カーテンを設置して工事箇所を仮囲いしていた（特許文献１の従来技術）。
【先行技術文献】
【特許文献】
【０００５】
【特許文献１】特開２００３−２０８９８公報
【発明の概要】
【発明が解決しようとする課題】
【０００６】
しかしながら、防護柵や防護カーテンの設置は工事箇所毎に行われるため、その設置及び撤去に時間がかかり、トンネル壁面工事の工期が長くなってしまうという問題がある。道路トンネルの場合は、一部の車線を通行止めにして車線規制した状態で工事を行うことになるが、工期の長期化は、工事費がかさむだけでなく、車道の幅員減少による車両の通行支障状態が長期化して道路の利用者（車両の運転者）にも迷惑がかかるので、避けたいところである。
【０００７】
そこで、本発明は、かかる事情に鑑みてなされたもので、トンネル壁面の工事箇所の仮囲いを迅速に行うことができるトンネル壁面工事用の囲い装置及びトンネル壁面の工事箇所の仮囲い方法を提供することを課題とする。
【課題を解決するための手段】
【０００８】
本発明に係るトンネル壁面工事用の囲い装置は、
高所作業車の作業台に周方向に適宜間隔で取り付けられる複数本の支柱と、
各支柱に跨って直接的又は間接的に支持され、トンネル壁面の工事箇所を囲うようにしてトンネル壁面に当接される封止体と、
封止体から垂下される間仕切りシートとを備え、
複数本の支柱の少なくとも一部は、伸縮自在であるか屈曲部を有するかの少なくともいずれかであり、
支柱の伸縮、支柱の屈曲、作業台に対する支柱の取付位置、作業台に対する支柱の取付角度の少なくともいずれか一つによって複数本の支柱の上部高さ位置を設定することにより、封止体をトンネル壁面の工事箇所に対応した角度に設定してトンネル壁面に当接させて、工事箇所を仮囲いするものである。
【０００９】
ここで、本発明に係るトンネル壁面工事用の囲い装置の一態様として、封止体は、上下方向に圧縮変形可能な弾性体からなる構成を採用することができる。
【００１０】
また、本発明に係るトンネル壁面工事用の囲い装置の他態様として、各支柱の上部に傾動自在に取り付けられ、封止体の下部を嵌入して封止体を支持する封止体支持部材をさらに備える構成を採用することができる。
【００１１】
この場合、間仕切りシートは、その上端部が封止体支持部材と封止体支持部材に嵌入された封止体の下部とに挟持されて封止体から垂下される構成を採用することができる。
【００１２】
また、本発明に係るトンネル壁面の工事箇所の仮囲い方法は、上記囲い装置を用いて、トンネル壁面の工事箇所を仮囲いするものである。
【発明の効果】
【００１３】
以上の如く、本発明に係るトンネル壁面工事用の囲い装置及びトンネル壁面の工事箇所の仮囲い方法によれば、トンネル壁面の工事箇所の下に高所作業車を停止させ、作業台を上昇させて封止体をトンネル壁面に当接させるだけで、トンネル壁面の工事箇所の仮囲いを簡単かつ迅速に行うことができるとともに、作業台を下降させて封止体をトンネル壁面から離間させるだけで、仮囲いを簡単かつ迅速に撤去することができる。これにより、トンネル壁面工事の工事費を低減することができるとともに、工期を短縮することができる。
【図面の簡単な説明】
【００１４】
【図１】図１は、本発明の第１実施形態に係る囲い装置を高所作業車の作業台に取り付け、工事箇所を仮囲いしようとする状態の、車線方向から見た外観図である。
【図２】図２は、図１の状態の、車線幅方向から見た外観図である。
【図３】図３（ａ）は、同実施形態に係る囲い装置を高所作業車の作業台に取り付けた状態の、車線方向となる方向から見た外観図、図３（ｂ）は、その取り付け前の分解状態の外観図、を示す。
【図４】図４（ａ）は、図３（ａ）の状態の、車線幅方向となる方向から見た外観図、図４（ｂ）は、その取り付け前の分解状態の外観図、を示す。
【図５】図５は、同実施形態に係る囲い装置の支柱を高所作業車の作業台の柵に固定した状態の外観図を示す。
【図６】図６（ａ）は、同実施形態に係る囲い装置の封止体支持部材の断面図、図６（ｂ）は、封止体支持部材に封止体を取り付けた状態の断面図、図６（ｃ）は、さらに間仕切りシートを取り付けた状態の断面図、を示す。
【図７】同実施形態に係る囲い装置の上面図を示す。
【図８】図８（ａ）は、同実施形態に係る囲い装置を用いてトンネル壁面の頂上部を仮囲いした状態の、車線方向から見た外観図、図８（ｂ）は、トンネル壁面の斜め上部を仮囲いした状態の、車線方向から見た外観図、を示す。
【図９】図９（ａ）は、本発明の第２実施形態に係る囲い装置を高所作業車の作業台に取り付けた状態の、車線方向となる方向から見た外観図、図９（ｂ）は、図９（ａ）の状態の、車線幅方向となる方向から見た外観図、を示す。
【図１０】図１０（ａ）は、同実施形態に係る囲い装置の封止体支持部材に支柱の上端部を嵌入した状態の断面図、図１０（ｂ）は、封止体支持部材の屈曲部の断面図、を示す。
【図１１】図１１（ａ）は、同実施形態に係る囲い装置を用いてトンネル壁面の頂上部を仮囲いした状態の、車線方向から見た外観図、図１１（ｂ）は、トンネル壁面の斜め上部を仮囲いした状態の、車線方向から見た外観図、を示す。
【図１２】図１２（ａ）は、本発明の第３実施形態に係る囲い装置を用いてトンネル壁面の頂上部を仮囲いした状態の、車線方向から見た外観図、図１２（ｂ）は、トンネル壁面の斜め上部を仮囲いした状態の、車線方向から見た外観図、を示す。
【図１３】図１３は、本発明の他の実施形態に係る囲い装置の封止体支持構造の外観図を示す。
【図１４】図１４は、本発明の別の実施形態に係る囲い装置の支柱支持構造の外観図を示す。
【発明を実施するための形態】
【００１５】
＜第１実施形態＞
以下、本発明に係るトンネル壁面工事用の囲い装置の第１実施形態について、図１〜図８を参酌して説明する。
【００１６】
図１及び図２に示す如く、本実施形態に係る囲い装置１は、高所作業車Ｘの作業台Ｙに取り付けられ、トンネル壁面Ｔの工事箇所を仮囲いするものである。囲い装置１は、高所作業車Ｘの作業台Ｙに周方向に適宜間隔で取り付けられる複数本の支柱２，…と、各支柱２の上端部に傾動自在に取り付けられた封止体支持部材３と、封止体支持部材３を介して各支柱２に跨って支持され、トンネル壁面Ｔの工事箇所を囲うようにしてトンネル壁面Ｔに当接される封止体４と、封止体４から垂下される間仕切りシート５とを備えている。
【００１７】
図３及び図４に示す如く、作業台Ｙは、平面視で高所作業車Ｘの車長方向（車線方向となる方向）に長尺で、車幅方向（車線幅方向となる方向）に短尺な、長方形状を有する床板Ｙ１と、床板Ｙ１の外周に立設される柵とを備えている。柵は、床板Ｙ１の長辺に沿って設けられる一対の柵Ｙ２，Ｙ２と、床板Ｙ１の短辺に沿って設けられる一対の柵Ｙ３，Ｙ３とで構成される。各柵は、左右の縦バーと、両縦バーの上端部をつなぎ、手すりとなる第１の横バーと、両縦バーの中間部位をつなぐ第２の横バーとで構成される。
【００１８】
支柱２は、外杆２０内に内杆２１が出退自在に挿入され、固定部２２にて内杆２１の出退を固定する伸縮構造を有する。また、一部の支柱２は、内杆２１の上端部に設けられたヒンジ構造からなる屈曲部２４を介して屈曲部２４よりも上方に屈曲杆２５が設けられた屈曲構造を有する。本実施形態においては、車両進行方向における左側（道路中央側）の柵Ｙ２の両端部箇所及びその間の二箇所に合計４本の伸縮構造及び屈曲構造を有する支柱２が屈曲方向を車幅方向に合わせるようにして取り付けられ、車両進行方向における右側（道路路肩側）の柵Ｙ２の両端部箇所及びその間の二箇所に合計４本の伸縮構造を有する支柱２が取り付けられ、各柵Ｙ３の中央箇所に１本の伸縮構造を有する支柱が取り付けられ、合計１０本の支柱２，…が作業台Ｙの外周に間隔を有して取り付けられる。なお、支柱２の本数は、作業台Ｙの大きさによって適宜変更されるもので、本実施形態に係る作業台Ｙ１よりも大きな作業台となれば、支柱２の本数は１０本よりも増えることとなる。
【００１９】
柵Ｙ２，Ｙ３に対する支柱２の取付は、図５に示す如く、分割構造からなりボルト軸６１に対するナット６２の締め付けにより縮径する一対のクランプ輪６０，６０が各クランプ輪６０の軸と直交する軸回りに回転自在に連結されたいわゆる自在クランプ６によって行われる。
【００２０】
図３及び図４に戻り、各支柱２は、柵Ｙ２，Ｙ３の第１の横バーと第２の横バーの少なくとも二箇所で自在クランプ６により固定されて取り付けられる。これにより、柵Ｙ２，Ｙ３に対して支柱２が不用意に動くようなことはない。また、各支柱２は、上下方向に沿って柵Ｙ２，Ｙ３に取り付けられる。なお、支柱２は、柵Ｙ２に対しては、柵Ｙ２の外側に取り付けられ、柵Ｙ３に対しては、柵Ｙ３の内側に取り付けられる。これは、幅可変式の作業台Ｙの場合に、作業台Ｙの可変動作にあたって支柱２と干渉しないようにするためである。
【００２１】
各支柱２の上端部には、ヒンジ構造からなる傾動部２３を介して封止体支持部材３が取り付けられている。各支柱２は、傾動部２３による封止体支持部材３の傾動方向を高所作業車Ｘの車幅方向に合わせるようにして柵Ｙ２，Ｙ３に取り付けられる。
【００２２】
封止体支持部材３は、隣の支柱２の封止体支持部材３の方向（柵Ｙ２，Ｙ３の横バーと平行な方向）に所定長さを有する部材であり、図６（ａ）に示す如く、長尺な底部３０及び底部３０の両端部から立ち上がる一対の側部３１，３１で構成され、上部が開放された断面視略コ字状の部材である。また、封止体支持部材３は、側部３１の上端部から内側に斜め下方に延びるかえり部３２を有している。本実施形態においては、封止体支持部材３は、長尺な帯板をプレス加工により折り曲げて底部３０、側部３１及びかえり部３２を一体的に形成した金属フレーム部材である。
【００２３】
図７に示す如く、平面視で矩形状、より詳しくは、平面視で高所作業車Ｘの車長方向（車線方向となる方向）に長尺で、車幅方向（車線幅方向となる方向）に短尺な、長方形状の枠形状に形成された封止体４に対応して、本実施形態においては、四隅の封止体支持部材３，…は、直交二辺の形状に形成され、それ以外の各封止体支持部材３は、直線状に形成されている。このように、封止体４は、周方向において適宜間隔を有して設けられた封止体支持部材３によって支持される。
【００２４】
封止体４は、上下方向に長尺な長方形状の断面を有する、たとえばウレタンフォームやスポンジ等の圧縮変形可能な弾性体で構成され、図６（ｂ）に示す如く、封止体４の下部を封止体支持部材３に上方から嵌入して封止体支持部材３に支持される。また、封止体４は、封止体支持部材３に嵌入された後は、封止体支持部材３のかえり部３２により不用意に抜けないようになっている。
【００２５】
間仕切りシート５は、封止体４で囲ったトンネル壁面Ｔの工事箇所から発生したはつりのガラ、モルタル、骨材あるいはこれらに起因する粉塵が飛散しないように工事箇所を間仕切るためのシートで、ビニールシートやメッシュシートなどが用いられる。図６（ｃ）に示す如く、間仕切りシート５は、その上端部を封止体支持部材３の一対の側部３１，３１のうち内側に位置する側部３１と封止体支持部材３に嵌入された封止体４の下部との間に挿入し、そこで挟持させることで、封止体３から垂下される。間仕切りシート５の上端部は、封止体４の矩形の枠に沿って配置されるので、封止体３から垂下した間仕切りシート５は、角筒状となって工事箇所を間仕切ることとなる。また、間仕切りシート５は、封止体３の内側から垂下されて矩形状に配置された柵Ｙ２，Ｙ３の内側に沿って床板Ｙ１にまで至る長さを有している。なお、後述するとおり、支柱２，…は工事箇所に応じて伸縮し、これに伴い、作業台Ｙからの封止体４の高さ位置が変わるため、間仕切りシート５は、その封止体４の高さ変更に関わらず、常に床板Ｙ１にまで至るだけの十分な長さを有する。
【００２６】
本実施形態に係る囲い装置１は、以上の構成からなり、次にその使用方法について説明する。
【００２７】
トンネル壁面Ｔの頂上部を工事する場合は、図８（ａ）に示す如く、道路中央側に一列に配置された支柱２，…を道路中央側に屈曲させ、封止体４を作業台Ｙから道路中央側に張り出すようにする。そして、高所作業車Ｘのブームを伸ばして作業台Ｙを上昇させ、封止体４をトンネル壁面Ｔに当接させる。トンネル壁面Ｔは曲率を有するが、封止体４は、その曲率に応じて圧縮変形し、工事箇所を気密に囲うことができる。そして、この封止体４と間仕切りシート５とによって、作業台Ｙ上の作業空間は気密状態で仮囲いされる。
【００２８】
また、封止体４は、道路中央側に張り出しているため、高所作業車Ｘを一つの車線（多くは片側車線）に停止させ、当該車線は車線規制が入るが、トンネル中心Ｃから隣の車線（多くは反対車線）の上方域に入り込んだ部分も工事を行うことができ、二車線を同時に規制する必要がない。
【００２９】
トンネル壁面Ｔの斜め上部を工事する場合は、図８（ｂ）に示す如く、道路中央側に一列に配置された支柱２，…を立てたり、屈曲状態を緩め、かつ、道路中央側ほど支柱２の上端部位置が高くなるように設定して封止体４をトンネル壁面Ｔの工事箇所に対応した角度に設定する。封止体４の傾斜角度は、当然、道路路肩側に向かうトンネル壁面Ｔほど大きくなる。そして、高所作業車Ｘのブームを伸ばして作業台Ｙを上昇させ、封止体４をトンネル壁面Ｔに当接させる。トンネル壁面Ｔは曲率を有するが、封止体４は、その曲率に応じて圧縮変形し、工事箇所を気密に囲うことができる。そして、この封止体４と間仕切りシート５とによって、作業台Ｙ上の作業空間は気密状態で仮囲いされる。
【００３０】
なお、必要に応じて作業空間内を集塵機で集塵して空気を清浄化するようにしてもよい。ただし、集塵機を仮囲い外に配置して外部吸引すると、仮囲いの気密性のために間仕切りシート５が内側に吸引されて作業に支障が生じるおそれがあるような場合は、集塵機を仮囲い内（具体的には作業台Ｙ上）に置くようにする。
【００３１】
このように、本実施形態に係る囲い装置１によれば、トンネル壁面Ｔの工事箇所の下に高所作業車Ｘを停止させ、作業台Ｙを上昇させて封止体４をトンネル壁面Ｔに当接させるだけで、トンネル壁面Ｔの工事箇所の仮囲いを簡単かつ迅速に行うことができるとともに、作業台Ｙを下降させて封止体４をトンネル壁面Ｔから離間させるだけで、仮囲いを簡単かつ迅速に撤去することができる。これにより、トンネル壁面工事の工事費を低減することができるとともに、工期を短縮することができる。
【００３２】
＜第２実施形態＞
次に、本発明に係るトンネル壁面工事用の囲い装置の第２実施形態について、図９〜図１１を参酌して説明する。なお、第１実施形態に係る囲い装置と同じ又は共通する構成については説明を割愛し、両実施形態が相違する部分について重点的に説明する。
【００３３】
第２実施形態に係る囲い装置１が第１実施形態に係る囲い装置１と一番異なる点は、屈曲構造を有する支柱２を使用せず、伸縮構造を有する支柱２のみを使用する点、及びこれに伴い、支柱２の上端部（傾動部２３）を封止体支持部材３（の底部３０）に固定せず、封止体支持部材３にスライド自在に取り付けた点である。
【００３４】
図９に示す如く、本実施形態においては、各柵Ｙ３の両端部箇所に合計２本の伸縮構造を有する支柱２が取り付けられ、合計４本の支柱２，…が作業台Ｙの外周に間隔を有して取り付けられる。各支柱２は、上下方向に沿って柵Ｙ３に取り付けられ、柵Ｙ３の内側に取り付けられる。各支柱２は、傾動方向を高所作業車Ｘの車幅方向に合わせるようにして柵Ｙ３に取り付けられる。
【００３５】
封止体支持部材３は、封止体４の全長を支持するために封止体４の枠形状と同形の枠形状の部材であり、図１０（ａ）に示す如く、長尺な底部３０及び底部３０の両端部から立ち上がる一対の側部３１，３１で構成され、上部が開放された断面視略コ字状の部材を有する。また、封止体支持部材３は、側部３１の上端部から内側に斜め下方に延びるかえり部３２を有している。さらに、封止体支持部材３のうち高所作業車Ｘの車幅方向における短辺部分は、下方が開放されたガイド部３３を底部３０の下部に沿って有している。このガイド部３３には、支柱２の傾動部２３のプレート状のガイド体２６がスライド自在に挿入されており、上記のとおり、支柱２の上端部は封止体維持部材３に長手方向に沿ってスライド自在に取り付けられる。本実施形態においては、封止体支持部材３は、長尺な帯板をプレス加工により折り曲げて底部３０、側部３１及びかえり部３２を一体的に形成するとともに、長尺な帯板をプレス加工により折り曲げてガイド部３３を形成し、両者を溶接等で一体化した金属フレーム部材である。
【００３６】
また、封止体支持部材３は、図９（ａ）及び図１０（ｂ）に示す如く、トンネル壁面Ｔの曲率に追従すべく、高所作業車Ｘの車幅方向の中央部に屈曲部を有している。具体的には、封止体支持部材３が当該箇所にて分断されており、各底部３０の分断端部に跨って溶接等により固定されたバネ板３４によって封止体支持部材３が高所作業車Ｘの車幅方向の中央部において弾性的に山形に屈曲するようになっている。
【００３７】
本実施形態に係る囲い装置１は、以上の構成からなり、次にその使用方法について説明する。
【００３８】
トンネル壁面Ｔの頂上部を工事する場合は、図１１（ａ）に示す如く、支柱２，…の上端部に対する封止体支持部材３の位置を道路中央側にシフトさせ、封止体４を作業台Ｙから道路中央側に張り出すようにする。そして、高所作業車Ｘのブームを伸ばして作業台Ｙを上昇させ、封止体４をトンネル壁面Ｔに当接させる。トンネル壁面Ｔは曲率を有するが、封止体支持部材３が中央部で屈曲するとともに、封止体４は、その曲率に応じて圧縮変形し、工事箇所を気密に囲うことができる。そして、この封止体４と間仕切りシート５とによって、作業台Ｙ上の作業空間は気密状態で仮囲いされる。
【００３９】
また、封止体４は、道路中央側に張り出しているため、高所作業車Ｘを一つの車線（多くは片側車線）に停止させ、当該車線は車線規制が入るが、トンネル中心Ｃから隣の車線（多くは反対車線）の上方域に入り込んだ部分も工事を行うことができ、二車線を同時に規制する必要がない。
【００４０】
トンネル壁面Ｔの斜め上部を工事する場合は、図１１（ｂ）に示す如く、道路中央側ほど支柱２の上端部位置が高くなるように設定して封止体４をトンネル壁面Ｔの工事箇所に対応した角度に設定する。封止体４の傾斜角度は、当然、道路路肩側に向かうトンネル壁面Ｔほど大きくなる。そして、高所作業車Ｘのブームを伸ばして作業台Ｙを上昇させ、封止体４をトンネル壁面Ｔに当接させる。トンネル壁面Ｔは曲率を有するが、封止体４は、その曲率に応じて圧縮変形し、工事箇所を気密に囲うことができる。そして、この封止体４と間仕切りシート５とによって、作業台Ｙ上の作業空間は気密状態で仮囲いされる。
【００４１】
なお、必要に応じて作業空間内を集塵機で集塵して空気を清浄化するようにしてもよい。ただし、集塵機を仮囲い外に配置して外部吸引すると、仮囲いの気密性のために間仕切りシート５が内側に吸引されて作業に支障が生じるおそれがあるような場合は、集塵機を仮囲い内（具体的には作業台Ｙ上）に置くようにする。
【００４２】
このように、本実施形態に係る囲い装置１によれば、トンネル壁面Ｔの工事箇所の下に高所作業車Ｘを停止させ、作業台Ｙを上昇させて封止体４をトンネル壁面Ｔに当接させるだけで、トンネル壁面Ｔの工事箇所の仮囲いを簡単かつ迅速に行うことができるとともに、作業台Ｙを下降させて封止体４をトンネル壁面Ｔから離間させるだけで、仮囲いを簡単かつ迅速に撤去することができる。これにより、トンネル壁面工事の工事費を低減することができるとともに、工期を短縮することができる。
【００４３】
＜第３実施形態＞
次に、本発明に係るトンネル壁面工事用の囲い装置の第３実施形態について、図１２を参酌して説明する。なお、第１実施形態及び第２実施形態に係る囲い装置と同じ又は共通する構成については説明を割愛し、相違する部分について重点的に説明する。
【００４４】
第３実施形態に係る囲い装置１はおおむね第２実施形態に係る囲い装置１と同じであるが、異なる点は、支柱２の上端部を封止体支持部材３に対してスライド自在とせず、第１実施形態と同様、支柱２の上端部を封止体支持部材３に固定した点である。しかし、そうすると、第１実施形態の支柱２の屈曲、及び第２実施形態の封止体支持部材３のシフトによる封止体４の水平方向の変位手段がなくなるので、第３実施形態においては、図１２に示す如く、柵Ｙ３に対する支柱２の取付位置及び取付角度を変更して、これと支柱２の伸縮により、支柱２，…の上端部の高さ位置を設定し、封止体４の所望の傾斜角度を実現するようにしている。
【００４５】
＜その他の実施形態＞
なお、本発明に係るトンネル壁面工事用の囲い装置は、上記実施形態に限定されるものではなく、本発明の要旨を逸脱しない範囲で種々の変更が可能である。
【００４６】
例えば、上記各実施形態に係る技術であって、他の実施形態に適用することが技術的に干渉するものでなければ、適用可能である。
【００４７】
また、上記各実施形態においては、封止体支持部材３を設け、封止体４を間接的に支柱２で支持するようにしており、第２実施形態の作業台Ｙよりも大型の作業台Ｙをも対象とした第１実施形態にあっては、軽量化のために、封止体支持部材３を分割して間欠的に配置する構造としたが、さらに軽量化を図るという趣旨で、図１３に示す如く、封止体４に支柱２の上端部のガイド体２６を挿入可能なスリット４０を形成し、支柱２の上端部のガイド体２６をこのスリット４０に差し込んで封止体４を直接的に支柱２で支持するようにしてもよい。この場合、第１実施形態もそうであるが、封止体４の非支持部が下方にたるんでトンネル壁面Ｔとの間に大きな隙間が生じないように、封止体４の材質又は形状として、ある程度の剛性を有するものを採用するのが好ましい。
【００４８】
また、上記各実施形態においては、封止体４は、トンネル壁面Ｔの工事箇所を完全に包囲する枠形状に形成されているが（一体的な枠形状にする場合と、いくつかに分かれたものを並べて枠形状にする場合とを含む。）、粉塵の飛散が生じにくい、あるいは現場において粉塵の飛散がさほど問題とはならないのであれば、枠形状の一部に封止体４がない欠落部分があってもよい。間仕切りシート５についても同様で、場合によれば、作業空間を完全に包囲するものでなくてもよい。
【００４９】
また、上記各実施形態においては、封止体４の枠形状は矩形状であったが、これに限定されるものではなく、例えば楕円形、円形等の他の形状であってもよい。ただし、高所作業車Ｘの作業台Ｙが平面視で矩形状であることから、間仕切りシート５をきれいに張れるという点でいえば、封止体４は矩形状、しかも作業台Ｙと近い矩形状であるのがより好ましい。
【００５０】
また、上記第２及び第３実施形態においては、トンネル壁面Ｔの曲率に追従しやすいよう、封止体支持部材３の一部（実施形態では中央部）を屈曲可能な構造としたが、第１実施形態のように、封止体４の圧縮変形によってトンネル壁面Ｔに密着できるので、あるいは、封止が厳密に要求されないような現場であれば、屈曲構造は必須ではない。
【００５１】
また、上記各実施形態においては、支柱２のすべてに伸縮構造を有するものを用いているが、道路路肩側に位置する支柱２はその上端部の高さ位置が固定であってもよいというのであれば、ここの箇所の支柱２としては伸縮構造を有さないものを用いてもよい。
【００５２】
また、上記各実施形態においては、支柱２の上端部にて封止体４を直接的又は間接的に支持するようにしているが、封止体４を支持する箇所は、支柱２の上端部に限定されず、上端部よりも下方位置であってもよい。
【００５３】
また、上記実施形態においては、支柱２の伸縮、支柱２の屈曲、作業台Ｙ（の柵Ｙ２，Ｙ３）に対する支柱２の取付位置、作業台Ｙ（の柵Ｙ２，Ｙ３）に対する支柱２の取付角度のいずれか一つ又は少なくとも二つの組み合わせによって複数本の支柱２，…の上端部の高さ位置を設定するようにしているが、作業台Ｙ（の柵Ｙ２，Ｙ３）に対する支柱２の取付位置は、第３実施形態のような水平方向の取付位置のみならず、上下方向の取付位置をも含む。
【００５４】
また、支柱２の伸縮構造及び屈曲構造は、上記実施形態に限定されるものではなく、公知の構造すべてを採用することができる。支柱２を作業台Ｙ（の柵Ｙ２，Ｙ３）に固定する固定手段も自在クランプ６に限定されるものではなく、公知の固定手段すべてを採用することができる。
【００５５】
また、上記各実施形態においては、支柱２を作業台Ｙの柵Ｙ２，Ｙ３に固定したが、柵以外に固定できる作業台Ｙの部位があれば、それであってもよい。
【００５６】
また、上記各実施形態においては、支柱２を作業台Ｙの柵Ｙ２，Ｙ３の第１及び第の横バーの二箇所で固定しているが、たとえば支柱２の下端部にすべり防止可能なストッパーが設けられていて、ここで支柱２が動くようなことがないのであれば、柵Ｙ２，Ｙ３への固定は一箇所であってもよい。
【００５７】
また、上記各実施形態においては、間仕切りシート５は、その上端部を封止体支持部材３内に挿入し、封止体４との挟持力により上端部支持されているが、これに限定されるものではなく、たとえば封止体支持部材３にフックを設け、間仕切りシート５の上端部に形成した鳩目等の孔をフックに引っ掛けて間仕切りシート５を垂下させるようにしてもよい。要は、間仕切りシート５の上端部支持構造は特に限定されるものではない。
【００５８】
また、上記各実施形態においては、支柱２を作業台Ｙ（の柵Ｙ２，Ｙ３）に直接固定するようにしているが、例えば図１４に示す如く、作業台Ｙ（の柵Ｙ２，Ｙ３）にパイプ７を固定し、このパイプ７に支柱２を挿入するようにしてもよい。この場合、パイプ７は常時作業台Ｙに固定しておくことで、現場における仮囲いをさらに簡単かつ迅速に設置することができる。なお、この構造による場合、支柱２が軸回りに回転してしまわないよう、図示はしないが、支柱２に突片、パイプ７にこの突片が入るスリットを形成するといった回り止め機能を設けることが好ましい。
【符号の説明】
【００５９】
１…囲い装置、２…支柱、２０…外杆、２１…内杆、２２…固定部、２３…傾動部、２４…屈曲部、２５…屈曲杆、２６…ガイド体、３…封止体支持部材、３０…底部、３１…側部、３２…かえり部、３３…ガイド部、３４…バネ板、４…封止体、４０…スリット、５…間仕切りシート、６…自在クランプ、６０…クランプ輪、６１…ボルト軸、６２…ナット、７…パイプ、Ｔ…トンネル壁面、Ｃ…トンネル中心、Ｘ…高所作業車、Ｙ…作業台、Ｙ１…床板、Ｙ２，Ｙ３…柵
【図１】
2018104942.tif 000003
【図２】
2018104942.tif 000004
【図３】
2018104942.tif 000005
【図４】
2018104942.tif 000006
【図５】
2018104942.tif 000007
【図６】
2018104942.tif 000008
【図７】
2018104942.tif 000009
【図８】
2018104942.tif 000010
【図９】
2018104942.tif 000011
【図１０】
2018104942.tif 000012
【図１１】
2018104942.tif 000013
【図１２】
2018104942.tif 000014
【図１３】
2018104942.tif 000015
【図１４】
2018104942.tif 000016